(57)【要約】【課題】カメラカバー固定構造における組み付け性を向上させる。【解決手段】カメラカバー固定構造２は、車両の前方のインストルメントパネルの上面に設けられているカメラを収容し、後面に第１の穴２２１を有する第１カバー部２２と、第１の穴２２１に嵌合する爪部２６１を有し、第１カバー部２２とインストルメントパネルの上面とで形成されている開口部を覆った状態で第１カバー部２２に結合される第２カバー部２６と、インストルメントパネルの上面に固定されており、第１カバー部２２の内側において上方に向かって突出している突出部２５と、後端が第１カバー部２２の後面の内側面に接続されており、前端に突出部２５と接する凹部２４１が形成されている当接部２４とを有し、第２カバー部２６が第１カバー部２２に対して前方に向かって押し付けられることで爪部２６１が第１の穴２２１に嵌合するときに凹部２４１の内側面が突出部２５に接する。【選択図】図４
2020157896.tif 000002
【特許請求の範囲】
【請求項１】
車両の前方のインストルメントパネルの上面に設けられているカメラを収容し、後面に第１の穴を有する第１カバー部と、
前記第１の穴に嵌合する爪部を有し、前記第１カバー部と前記インストルメントパネルの上面とで形成されている開口部を覆った状態で前記第１カバー部に結合される第２カバー部と、
前記インストルメントパネルの上面に固定されており、前記第１カバー部の内側において上方に向かって突出している突出部と、
後端が前記第１カバー部の後面の内側面に接続されており、前端に前記突出部と接する凹部が形成されている当接部と、
を有し、
前記第２カバー部が前記第１カバー部に対して前方に向かって押し付けられることで前記爪部が前記第１の穴に嵌合するときに、前記凹部の内側面が前記突出部に接することを特徴とするカメラカバー固定構造。
【請求項２】
前記第１カバー部の後面の内側面に設けられており、第２の穴を有する固定部と、
第３の穴を有し、前記第１カバー部を前記インストルメントパネルの上面に固定するためのブラケットと、
前記第２の穴及び前記第３の穴に挿入されており、前記固定部及び前記ブラケットに固定されているボルトと、
をさらに有し、
前記突出部は、前記ボルトの一部であることを特徴とする、
請求項１に記載のカメラカバー固定構造。
【請求項３】
前記ボルトは、前記第２の穴及び前記第３の穴に下方から上方に向かって挿入された状態で、前記ブラケット及び前記固定部に固定されており、
前記第２カバー部が前記第１カバー部に対して前方に向かって押し付けられることで前記爪部が前記第１の穴に嵌合するときに、前記第２の穴及び前記第３の穴に挿入されている前記ボルトの先端に形成されている円柱形状の領域が前記凹部の内側面に接することを特徴とする、
請求項２に記載のカメラカバー固定構造。
【発明の詳細な説明】
【技術分野】
【０００１】
本発明は、カメラカバー固定構造に関する。
【背景技術】
【０００２】
従来、車両には、カメラカバー固定構造が設けられている。特許文献１には、車載カメラにおけるカメラモジュールの固定構造において、カメラモジュールを内部に収容するとともに車両の車体外部に配設されるハウジングが、車体内部に配設され、ハウジングを車体の壁体に固定するための押さえブラケットに、ボルト・ナットによる締結によって結合されている構造が開示されている。
【先行技術文献】
【特許文献】
【０００３】
【特許文献１】特開２０１８−１０３８１２号公報
【発明の概要】
【発明が解決しようとする課題】
【０００４】
車両には、車両の前方のインストルメントパネルの上面に設けられているカメラを収容し、後面に穴を有する第１カバー部と、当該穴に嵌合する爪部を有し、第１カバー部とインストルメントパネルの上面とで形成されている開口部を覆った状態で第１カバー部に結合される第２カバー部と、を有するカメラカバー固定構造が設けられている場合がある。
【０００５】
この場合、第２カバー部を第１カバー部に組み付ける際に、第２カバー部の爪部を第１カバー部の穴に嵌合することで、第２カバー部を第１カバー部に結合する。この際、第２カバー部を第１カバー部に対して前方に向かって押し付けることで爪部を第１カバー部の穴に嵌合させるときに、第１カバー部の穴付近の領域が変形してしまうことで、第２カバー部を第１カバー部に組み付けづらくなってしまうという問題が生じていた。
【０００６】
そこで、本発明はこれらの点に鑑みてなされたものであり、カメラカバー固定構造における組み付け性を向上させることを目的とする。
【課題を解決するための手段】
【０００７】
本発明の第１の態様においては、車両の前方のインストルメントパネルの上面に設けられているカメラを収容し、後面に第１の穴を有する第１カバー部と、前記第１の穴に嵌合する爪部を有し、前記第１カバー部と前記インストルメントパネルの上面とで形成されている開口部を覆った状態で前記第１カバー部に結合される第２カバー部と、前記インストルメントパネルの上面に固定されており、前記第１カバー部の内側において上方に向かって突出している突出部と、後端が前記第１カバー部の後面の内側面に接続されており、前端に前記突出部と接する凹部が形成されている当接部と、を有し、前記第２カバー部が前記第１カバー部に対して前方に向かって押し付けられることで前記爪部が前記第１の穴に嵌合するときに、前記凹部の内側面が前記突出部に接することを特徴とするカメラカバー固定構造を提供する。
【０００８】
また、前記第１カバー部の後面の内側面に設けられており、第２の穴を有する固定部と、第３の穴を有し、前記第１カバー部を前記インストルメントパネルの上面に固定するためのブラケットと、前記第２の穴及び前記第３の穴に挿入されており、前記固定部及び前記ブラケットに固定されているボルトと、をさらに有し、前記突出部は、前記ボルトの一部であってもよい。
【０００９】
また、前記ボルトは、前記第２の穴及び前記第３の穴に下方から上方に向かって挿入された状態で、前記ブラケット及び前記固定部に固定されており、前記第２カバー部が前記第１カバー部に対して前方に向かって押し付けられることで前記爪部が前記第１の穴に嵌合するときに、前記第２の穴及び前記第３の穴に挿入されている前記ボルトの先端に形成されている円柱形状の領域が前記凹部の内側面に接してもよい。
【発明の効果】
【００１０】
本発明によれば、カメラカバー固定構造における組み付け性が向上するという効果を奏する。
【図面の簡単な説明】
【００１１】
【図１】本実施形態に係るカメラカバー固定構造の構造を車両の右後方側から見た状態を示す。
【図２】第１カバー部から第２カバー部が分離された状態を車両の右後方側から見た状態を示す。
【図３】第１カバー部から第２カバー部が分離された状態を車両の右前方側から見た状態を示す。
【図４】図１のＸ−Ｘ線断面図である
【図５】図１のＹ−Ｙ線断面図である。
【図６】突出部付近の拡大断面図である。
【発明を実施するための形態】
【００１２】
［カメラカバー固定構造２の構造］
図１は、本実施形態に係るカメラカバー固定構造２の構造を車両の後方側から見た状態を示す図である。図２は、第１カバー部２２から第２カバー部２６が分離された状態を車両の後方側から見た状態を示す図である。図３は、第１カバー部２２から第２カバー部２６が分離された状態を車両の前方側から見た状態を示す図である。図４は、図１のＸ−Ｘ線断面図である。図５は、図１のＹ−Ｙ線断面図である。
【００１３】
車両は、インストルメントパネル１、及びカメラカバー固定構造２を有する。インストルメントパネル１は、車両の前方に設けられている計器板である。カメラカバー固定構造２は、カメラを収容する構造である。カメラは、車両の外側を撮像する。カメラは、例えばステレオカメラ、単眼カメラ又はビデオカメラである。車両は、例えば、カメラで撮像された車両の前方の対象物の画像、及び当該対象物までの距離情報に基づいて自動ブレーキを制御する。カメラカバー固定構造２は、ブラケット２１、第１カバー部２２、固定部２３、当接部２４、突出部２５、及び第２カバー部２６を有する。
【００１４】
ブラケット２１は、第１カバー部２２をインストルメントパネル１の上面に固定するための部品である。ブラケット２１は、例えば断面がハット形状である。ブラケット２１の下端は、インストルメントパネル１の上面に固定されている。ブラケット２１の上端は、固定部２３に固定されている。ブラケット２１は、第３の穴２１１を有する。第３の穴２１１は、ボルト２５１が挿入される穴である。
【００１５】
第１カバー部２２は、インストルメントパネル１の上面に設けられているカメラを収容する部位である。第１カバー部２２は、例えば樹脂製である。第１カバー部２２は、第１の穴２２１を有する。第１の穴２２１は、第１カバー部２２の後面に設けられている。第１の穴２２１は、第２カバー部２６の爪部２６１が嵌合する穴である。第２カバー部２６の詳細は後述する。第１カバー部２２には、例えば、３つの第１の穴２２１が設けられているが、第１の穴２２１の数は任意である。
【００１６】
固定部２３は、第１カバー部２２をインストルメントパネル１に固定するための部位である。具体的には、固定部２３は、第１カバー部２２をブラケット２１に固定するための部位である。固定部２３は、例えば平板形状である。固定部２３は、第１カバー部２２の後面の内側面に設けられている。固定部２３は、第２の穴２３１を有する。第２の穴２３１は、ボルト２５１が挿入される穴である。固定部２３には、例えば、車両の車幅方向において、２つの第２の穴２３１が設けられている。
【００１７】
当接部２４は、第１カバー部２２に対して第２カバー部２６を組み付ける際に、第１カバー部２２を変形しづらくするための部位である。当接部２４は、例えば平板形状である。当接部２４は、後端が第１カバー部２２の後面の内側面に接続されている。当接部２４は、凹部２４１を有する。凹部２４１は、当接部２４の前端に形成されている。凹部２４１は、突出部２５と接する。凹部２４１は、例えば当接部２４の前端から奥に向かうにつれて車両の車幅方向における幅が徐々に小さくなるようなテーパー形状である。当接部２４には、例えば、車両の車幅方向において、２つの凹部２４１が形成されている。
【００１８】
突出部２５は、インストルメントパネル１の上面に固定されており、第１カバー部２２の内側において上方に向かって突出している。突出部２５の詳細は後述する。
【００１９】
第２カバー部２６は、第１カバー部２２とインストルメントパネル１の上面とで形成されている開口部を覆った状態で第１カバー部２２に結合される部位である。第２カバー部２６は、例えば樹脂製である。第２カバー部２６は、第１カバー部２２をインストルメントパネル１に取付けるための締結部を覆うための部位である。第１カバー部２２とインストルメントパネル１の上面とで形成されている開口部の内側には、当該締結部が設けられている。第２カバー部２６は、爪部２６１を有する。爪部２６１は、第１の穴２２１に嵌合する。第２カバー部２６には、例えば、３つの爪部２６１が設けられているが、爪部２６１の数は任意である。
【００２０】
カメラカバー固定構造２においては、第２カバー部２６が第１カバー部２２に対して前方に向かって押し付けられることで爪部２６１が第１の穴２２１に嵌合するときに、凹部２４１の内側面が突出部２５に接する。カメラカバー固定構造２は、このような構造を有することで、第２カバー部２６を第１カバー部２２に対して前方に向かって押し付けることで爪部２６１を第１の穴２２１に嵌合させるときに、第１カバー部２２の第１の穴２２１付近の領域が第１カバー部２２の内側に向かって窪むように変形しづらくなる。
【００２１】
よって、カメラカバー固定構造２は、このように第１カバー部２２の第１の穴２２１付近の領域が第１カバー部２２の内側に向かって窪むように変形しづらくなることで、爪部２６１を第１の穴２２１に嵌合させ易くなるので、第２カバー部２６を第１カバー部２２に結合させ易くなる。この結果、カメラカバー固定構造２は、組み付け性が向上する。
【００２２】
［突出部２５の詳細］
図６は、突出部２５付近の拡大断面図である。
突出部２５は、ボルト２５１の一部である。ボルト２５１は、第２の穴２３１及び第３の穴２１１に挿入されており、固定部２３及びブラケット２１に固定されている。具体的には、ボルト２５１は、第２の穴２３１及び第３の穴２１１に下方から上方に向かって挿入された状態で、ブラケット２１及び固定部２３に固定されている。より具体的には、ボルト２５１は、第２の穴２３１及び第３の穴２１１に下方から上方に向かって挿入された状態でナット２５３を締め付けることで、ブラケット２１及び固定部２３に固定されている。
【００２３】
カメラカバー固定構造２は、このように突出部２５がボルト２５１の一部であることで、第１カバー部２２をインストルメントパネル１に取付けるためのボルト２５１を突出部２５として用いることができる。よって、カメラカバー固定構造２は、突出部２５を設けるために部品点数が増加するのを防ぐことができる。
【００２４】
カメラカバー固定構造２においては、第２カバー部２６が第１カバー部２２に対して前方に向かって押し付けられることで爪部２６１が第１の穴２２１に嵌合するときに、第２の穴２３１及び第３の穴２１１に挿入されているボルト２５１の第１領域２５２が凹部２４１の内側面に接する。第１領域２５２は、ボルト２５１の先端に形成されている円柱形状の領域である。具体的には、第１領域２５２は、ボルト２５１に形成されているねじ部よりもボルト２５１の先端に形成されている領域である。第１領域２５２の長さは、例えば、ボルト２５１のねじ部の長さよりも短い。
【００２５】
カメラカバー固定構造２は、このような構造を有することで、第２カバー部２６を第１カバー部２２に対して前方に向かって押し付けることで爪部２６１を第１の穴２２１に嵌合させるときに、凹部２４１の内側面がボルト２５１のねじ部に接しないようにすることができる。この結果、カメラカバー固定構造２においては、第２カバー部２６が第１カバー部２２に対して前方に向かって押し付けられることで爪部２６１が第１の穴２２１に嵌合するときに、凹部２４１の内側面がボルト２５１に対して安定して接するようにすることができる。
【００２６】
［カメラカバー固定構造２による効果］
本実施形態に係るカメラカバー固定構造２は、車両の前方のインストルメントパネル１の上面に設けられているカメラを収容し、後面に第１の穴２２１を有する第１カバー部２２と、第１の穴２２１に嵌合する爪部２６１を有し、第１カバー部２２とインストルメントパネル１の上面とで形成されている開口部を覆った状態で第１カバー部２２に結合される第２カバー部２６と、を有する。
【００２７】
また、カメラカバー固定構造２は、インストルメントパネル１の上面に固定されており、第１カバー部２２の内側において上方に向かって突出している突出部２５と、後端が第１カバー部２２の後面の内側面に接続されており、前端に突出部２５と接する凹部２４１が形成されている当接部２４と、を有する。また、カメラカバー固定構造２は、第２カバー部２６が第１カバー部２２に対して前方に向かって押し付けられることで爪部２６１が第１の穴２２１に嵌合するときに、凹部２４１の内側面が突出部２５に接する。
【００２８】
本実施形態に係るカメラカバー固定構造２においては、このように第２カバー部２６が第１カバー部２２に対して前方に向かって押し付けられることで爪部２６１が第１の穴２２１に嵌合するときに、凹部２４１の内側面が突出部２５に接する。カメラカバー固定構造２は、このような構造を有することで、第２カバー部２６を第１カバー部２２に対して前方に向かって押し付けることで爪部２６１を第１の穴２２１に嵌合させるときに、第１カバー部２２の第１の穴２２１付近の領域が第１カバー部２２の内側に向かって窪むように変形しづらくなる。
【００２９】
よって、カメラカバー固定構造２は、このように第１カバー部２２の第１の穴２２１付近の領域が第１カバー部２２の内側に向かって窪むように変形しづらくなることで、爪部２６１を第１の穴２２１に嵌合させ易くなるので、第２カバー部２６を第１カバー部２２に結合させ易くなる。この結果、カメラカバー固定構造２は、組み付け性が向上する。
【００３０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００３１】
１・・・インストルメントパネル
２・・・カメラカバー固定構造
２１・・・ブラケット
２１１・・・第３の穴
２２・・・第１カバー部
２２１・・・第１の穴
２３・・・固定部
２３１・・・第２の穴
２４・・・当接部
２４１・・・凹部
２５・・・突出部
２５１・・・ボルト
２５２・・・第１領域
２５３・・・ナット
２６・・・第２カバー部
２６１・・・爪部
【図１】
2020157896.tif 000003
【図２】
2020157896.tif 000004
【図３】
2020157896.tif 000005
【図４】
2020157896.tif 000006
【図５】
2020157896.tif 000007
【図６】
2020157896.tif 000008